(57)【要約】【課題】会話時の声を第三者に聞かれることなく、確実に会話の相手にのみ会話内容を伝達することができるととともに、簡素な構造により低コストで製造することができる会話補助装置を提供することを目的とする。【解決手段】会話補助装置１は、反射板２、把持部３から構成されている。反射板２は第１の焦点Ｆ１と第２の焦点Ｆ２とする楕円の長軸からなる対称軸を回転軸Ｒとして回転させた楕円曲面Ｅであって、回転軸Ｒを通る切断面Ｓで切断した一方の部分楕円曲面ＥＰから構成されている。反射板２は、焦点間距離Ｌ１が２０ｃｍ〜６０ｃｍ、頂点距離Ｌ２（Ｌ３）が５ｃｍ以下、短軸長さＬ４が５ｃｍ以上、短軸長さＬ４の２分の１の長さが焦点間距離の３分の１以下の長さの範囲となる楕円を基準として設計される。【選択図】図２
2019165415.tif 000002
【特許請求の範囲】
【請求項１】
仮想基準平面上に設定された特定の対象点を焦点とする二次曲線であって、該第二次曲線の対称軸を回転軸として、前記二次曲線を回転させて得られる二次曲面を切断してできる部分二次曲面からなる反射板を備える
会話補助装置。
【請求項２】
前記反射板は、第１の焦点と第２の焦点からなる楕円の長軸からなる対称軸を回転軸として、前記楕円を回転させて得られる楕円曲面の前記回転軸を通る切断面で切断して得られた部分楕円曲面である
請求項１に記載の会話補助装置。
【請求項３】
前記反射板は、前記切断面で切断した断面視における短手方向の端部が切り欠かれた
請求項２に記載の会話補助装置。
【請求項４】
前記反射板は、第１の焦点と第２の焦点からなる楕円の長軸からなる対称軸を回転軸として、前記楕円を回転させて得られる楕円曲面の、前記回転軸を横切る切断面において切断された前記第１の焦点と前記第２の焦点を含まない面で形成された部分楕円曲面であり、
該部分楕円曲面は、前記長軸の中点から前記第１の焦点までの間にある第１の切断面と、前記中点から前記第２の焦点までの間にある第２の切断面で切断された
請求項１に記載の会話補助装置。
【請求項５】
前記第１の切断面、及び前記第２の切断面の少なくとも一方は、前記回転軸に対して垂直な切断面である
請求項４に記載の会話補助装置。
【請求項６】
前記楕円は、
前記第１の焦点と前記第２の焦点との前記回転軸上における焦点間距離が略２０ｃｍ〜６０ｃｍの範囲内、
前記楕円の短軸長さが５ｃｍ以上、
前記第１の焦点と該第１の焦点側の前記楕円の頂点との前記回転軸上における頂点距離、及び前記第２の焦点と該第２の焦点側の前記楕円の頂点との前記回転軸上における頂点距離がそれぞれ５ｃｍ以下、
前記楕円の短軸長さの２分の１の長さが前記焦点間距離の３分の１以下の長さ、である条件を満たす
請求項２から請求項５の何れか一項に記載の会話補助装置。
【請求項７】
前記反射板は、前記対象点を焦点とする放物線の対称軸を回転軸として、前記放物線を回転させて得られる放物曲面の前記回転軸を通る切断面で分離した一方の面で形成された部分放物曲面である
請求項１に記載の会話補助装置。
【発明の詳細な説明】
【技術分野】
【０００１】
本発明は、会話補助装置に関する。詳しくは、会話時の声を第三者に聞かれることなく、確実に会話の相手にのみ会話内容を伝達することができるととともに、簡素な構造により低コストで製造することができる会話補助装置に係るものである。
【背景技術】
【０００２】
一般に、難聴者とは、日常生活での対話が困難になる程に聞こえ難い者をいい、難聴の種類としては障害の原因や部位によって感音性難聴、伝音性難聴、及び混合性難聴に大きく分類される。
【０００３】
特に超高齢化社会を迎えている現代の日本においては、加齢とともに進行する感音性難聴の一つである老人性難聴が大きな社会問題となっている。老人性難聴は、時間をかけてゆっくりと進行する場合が多いため、本人も気が付かないうちに周囲とのコミュニケーションが円滑に出来なくなり、職場や家庭生活において支障をきたしている人も少なくない。
【０００４】
このような問題を改善するために、難聴者の聴力を補う補聴装置としての補聴器を難聴者の耳介に装着し、難聴者が聞き取りづらい周波数帯域を増幅して難聴者の聴力を補うことが行われている。このような補聴器は、基本的にはマイク、増幅回路部、駆動用電池とから構成され、スピーカーとしては、通常音圧型イヤホンが使用されている（特許文献１）。
【０００５】
前記した補聴器に使用される駆動用電池としては、一般的には内部に空気を取り入れて電池内の溶剤と化学反応を起こさせて電気を発生させる、所謂「空気電池」が使用されている。この空気電池は、安価である一方で電池寿命が短いため、難聴者の装着期間が限られてしまうという欠点がある。そこで、近年では充電式の電池が利用できる補聴器（特許文献２）や、燃料電池を搭載した補聴器も提案されている（特許文献３）。
【０００６】
また、特許文献４には、電気的なエネルギーを使用しない耳介装着型の補聴装置が開示されている。具体的には、放物面、又は楕円面からなる部分湾曲面を形成する反射面を直接難聴者の両耳に装着し、音源からの音波をこの反射面で反射させて両耳に集音することで、難聴者の聴力を補うことが可能なものとなっている。
【０００７】
一方で、前記した特許文献１乃至特許文献４に係る補聴器においては、一般にそれぞれの難聴者の耳や耳孔の形状等に合わせて補聴器を設計する必要があるため、製造コストが高くなるとともに、当該難聴者のみしか利用できず汎用性の低いものとなっていた。
【０００８】
さらに、常時身体に装着することによる違和感、又は適正に装着されなかった場合に生じるハウリング等による不快な音の発生等、本来、難聴者の聴力を補う役割である補聴装置が難聴者の心身上のストレスの原因となることが懸念されるとともに、補聴器を装着していることが外観上一目瞭然であるため、第三者からの視線を気にする難聴者にとっては補聴器の装着を躊躇してしまい、必ずしも難聴者にとって使い勝手のよいものとはなっていなかった。
【０００９】
そのため、わが国における補聴器の普及率は依然として低く、難聴者を相手とする会話に際しては、難聴者が聞き取れるように大きい声で話すといった対応を取らざるを得ない状況があった。しかしながら、例えば、病院や介護施設の公共施設等において、周囲に人がいる状況下で難聴者と大声で会話をすると、周囲の人に迷惑がかかるとともに、聞かれたくない会話の内容まで周囲の人に聞かれてしまうという問題が生じていた。この点、周囲の人に配慮して互いが声を小さくして会話をすると、難聴者にとっては会話内容が聞き取りづらく、お互いに会話をすることがストレスとなってしまう。
【００１０】
このような問題を解決するために、前記したような難聴者の耳介装着型の補聴装置に代わるものとして、特許文献５には筒型をした会話補助装置が提案されている。具体的には、内部に声の伝達路が形成された筒本体と、筒本体の両端部に接続された拡大部から構成され、一方の拡大部を話し手の口元に、他方の拡大部を聞き手の耳元に近接して使用することで、周囲の雑音により会話が遮断されたり、会話内容が周囲に漏れることなく、話し手の声を確実に聞き手に伝達することができるものとなっている。
【先行技術文献】
【特許文献】
【００１１】
【特許文献１】特開平０８−２３７７９８号公報
【特許文献２】特開２００８−２７８３２９号公報
【特許文献３】特開２０１４−１２７７２０号公報
【特許文献４】特開２００４−０１５７９６号公報
【特許文献５】特開２００８−２８７８６号公報
【発明の概要】
【発明が解決しようとする課題】
【００１２】
前記した特許文献５に開示の会話補聴装置においては、難聴者の身体に常時装着するものではなく、相手との会話時にのみ使用するものであるため、装着に伴う違和感等は生じないとともに、会話時の声が周囲の人に聞かれることなく確実に会話の相手にのみ伝達することができるため、使い勝手の良いものとなっている。
【００１３】
しかしながら、前記特許文献５に開示の会話補助装置は、音波が伝達される本体部の形状については何ら考慮されておらず、音源としての話し手から発せられた音波は円筒状の本体内部で拡散してしまい、必ずしも聞き手の耳元付近に音波が効率的に伝達される構成とはなっていなかった。そのため、本体部にマイクロホンやスピーカー等の電気的エネルギーを利用する必要があり、システム全体として高価なものとなっていた。
【００１４】
さらに、話し手が会話補聴装置に向かって話す際には、口元を本体部に近接して会話をするため、繰り返しの利用により筒体内部に唾液が付着してしまうが、本体部が円筒状であるとともに、前記した通りマイクロホンやスピーカー等の電気機器が内蔵されていることから、分解洗浄が困難であり、衛生上において好ましくないという問題があった。
【００１５】
本発明は、以上の点に鑑みて創案されたものであり、会話時の声を第三者に聞かれることなく、確実に会話の相手にのみ会話内容を伝達することができるととともに、簡素な構造により低コストで製造することができる会話補助装置を提供することを目的とする。
【課題を解決するための手段】
【００１６】
前記の目的を達成するために、本発明の会話補助装置は、仮想基準平面上に設定された対象点を焦点とする二次曲線であって、該第二次曲線の対称軸を回転軸として、前記二次曲線を回転させて得られる二次曲面を切断してできる部分二次曲面からなる反射板を備える。
【００１７】
ここで、仮想基準平面上に設定された対象点を焦点とする二次曲線であって、二次曲線の対称軸を回転軸として、二次曲線を回転させて得られる二次曲面を切断してできる部分二次曲面からなる反射板を備えることにより、音源から出射された音波が、略湾曲凹状に形成された反射板で反射され、部分二次曲面の焦点である対象点に向けて確実に集音させることができる。
【００１８】
また、反射板が、第１の焦点と第２の焦点からなる楕円の長軸からなる対称軸を回転軸として、楕円を回転させて得られる楕円曲面の部分楕円曲面である場合には、楕円の一方の焦点である第１の焦点を話し手の口元、楕円の他方の焦点である第２の焦点を聞き手の耳介に設定することで、話し手の口元に対応する第１の焦点から発射された音波を、聞き手の耳介に対応する第２の焦点に向けて確実に集音させることができる。
【００１９】
また、部分楕円曲面は、回転軸を通る切断面で切断して得られる場合には、反射板が一方向に開放された略湾曲凹状であることから、反射板の内面に汚れが付着したとしても、清掃が容易であるため衛生的である。
【００２０】
また、部分楕円曲面は、切断面で切断した断面視における短手方向の端部が切り欠かれている場合には、集音効果を維持したまま会話補助装置全体をコンパクトにすることができるとともに、重量も軽くなることから、老若男女を問わず操作性に優れたものとなる。さらに、持ち運び時の携帯性にも優れるとともに、不使用時の収納スペースも容易に確保することができる。
【００２１】
また、反射板は、第１の焦点と第２の焦点からなる楕円の長軸からなる対称軸を回転軸として、楕円を回転させて得られる楕円曲面の、回転軸を横切る切断面であって、長軸の中点から第１の焦点までの間にある第１の切断面で切断された面のうち、第１の焦点を含まない面で形成された部分楕円曲面である場合には、例えば第１の焦点を会話補助装置の話し手側の焦点として会話補助装置を使用する際には、話し手は、部分楕円曲面の外側にある第１の焦点近傍から反射板に向かって会話をすることができるため、相手側を向いて、より自然な体勢での会話を行うことができる。
【００２２】
また、反射板は、第１の焦点と第２の焦点からなる楕円の長軸からなる対称軸を回転軸として、楕円を回転させて得られる楕円曲面の、回転軸を横切る切断面であって、長軸の中点から第２の焦点までの間にある第２の切断面で切断された面のうち、第２の焦点を含まない面で形成された部分楕円曲面である場合には、例えば第２の焦点を会話補助装置の聞き手側の焦点として会話補助装置を使用する際には、聞き手の耳介を含む顔側面に会話補助装置を密着させる必要がないため衛生的であるとともに、会話補助装置の端面で聞き手の顔側面を傷付ける等の怪我をさせることを回避することができる。
【００２３】
また、第１の切断面、及び前記第２の切断面の少なくとも一方は、回転軸に対して垂直な切断面である場合には、例えば垂直な切断面を有する側を話し手側に向けて使用することにより、話し手は聞き手側をより真っ直ぐに向いた状態で会話を行うことができる。
【００２４】
また、楕円の第１の焦点と第２の焦点との回転軸上における焦点間距離が略２０ｃｍ〜６０ｃｍの範囲内で、かつ短軸長さの２分の１の長さが焦点間距離の３分の１以下の長さである場合には、会話補助装置全体として適度な大きさとすることができる。即ち、短軸の長さに対する長軸の長さが適度に細長くなることにより、使用時の操作性が良く、携帯性にも優れ、不使用時の収納も容易に行うことができる大きさとなる。
【００２５】
なお、焦点間距離が２０ｃｍよりも短くなると、話し手と聞き手の対話距離が近接し、会話者同士間において適度な距離を保つことができず、話し手が会話時に不自然な姿勢を強いられることになる。
【００２６】
一方、焦点間距離が６０ｃｍよりも長くなると、会話補助装置全体が楕円の長軸方向に長くなって大型化し、重量も増えるため、収納する際のスペース確保が困難となるとともに、携帯性、及び使用時の操作性が悪化する。
【００２７】
更に、短軸長さの２分の１の長さが焦点間距離の３分の１の長さを超えた場合には、楕円の長軸長さと短軸長さの比率が略同じとなる円形に近い形状となる。そのため、反射板が話し手の口元から聞き手の耳介まで大きな弧を描いたような形状となるため、会話補助装置の操作性が悪化するとともに、収納時の安定性にも欠けたものとなる。
【００２８】
また、第１の焦点と第１の焦点側の楕円の頂点との回転軸上における頂点距離、及び第２の焦点と第２の焦点側の楕円の頂点との回転軸上における頂点距離がそれぞれ５ｃｍ以下である場合には、反射板の回転軸上における一方の頂点付近で囲われた湾曲凹部を目安に話し手の口元を置いたときに、会話補助装置の話し手側の焦点（例えば第１の焦点）と話し手の口元が適度に近接するとともに、反射板の回転軸上における他方の頂点付近で囲われた湾曲凹部で聞き手の耳介を覆うようにすれば、聞き手側の焦点（例えば第２の焦点）と聞き手の耳介が適度に近接することから、会話補助装置を使用する際の話し手と聞き手の位置決めを容易に行うことができる。
【００２９】
なお、それぞれの頂点距離が５ｃｍを超えた場合には、反射板の回転軸上における頂点、及び頂点付近で囲われた湾曲凹部から焦点が大きく外れているために、話し手の口元や聞き手の耳介を置く位置の目安が曖昧となり、話し手の口元や聞き手の耳介の位置が焦点と一致し難くなるため、会話補助装置の集音効果を充分に発揮できない虞がある。
【００３０】
また、楕円の短軸長さが５ｃｍ以上である場合には、反射板の面積が適度に大きくなり、会話補助装置の集音効果を高めることができる。
【００３１】
なお、楕円の短軸長さが５ｃｍよりも短くなると、反射板の面積が小さくなり、会話補助装置の集音効果が低下する。さらに、反射板の形状として、楕円曲面の回転軸を横切る切断面で切断した部分楕円面から構成される場合、切断面の開口面積が小さくなるため、例えば話し手が切断面に向かって話し掛ける際に、反射板を構成する部分楕円曲面の湾曲凹部内に音波が伝播しづらくなるとともに、切断面の周囲に唾液が付着しやすくなり衛生的にも好ましくないものとなる。
【００３２】
また、反射板は、対象点を焦点とする放物線の対称軸を回転軸として、放物線を回転させて得られる放物曲面の回転軸を通る切断面で分離した一方の面で形成された部分放物曲面である場合には、例えば放物曲面の回転軸上に音源となる話し手の口元が存在すれば、話し手と聞き手の距離に関係なく、話し手から発せられた音波を聞き手の耳介に確実に集音させることができる。
【００３３】
また、部分放物曲面が、一方向に開放された略湾曲凹状であることから、反射板の内面に汚れが付着したとしても、清掃が容易であるため衛生的である。
【発明の効果】
【００３４】
本発明に係る会話補助装置は、会話時の声を第三者に聞かれることなく、確実に会話の相手にのみ会話内容を伝達することができるととともに、簡素な構造により低コストで製造することができる。
【図面の簡単な説明】
【００３５】
【図１】本発明の第１の実施形態に係る会話補助装置を示す図であり、（ａ）、（ｂ）は会話補助装置の全体外観図、（ｃ）は反射板の設計方法を示す図である。
【図２】本発明の第１の実施形態に係る会話補助装置の使用状態を示す図である。
【図３】本発明の第２の実施形態に係る会話補助装置の全体外観図である。
【図４】本発明の第３の実施形態に係る会話補助装置を示す図であり、（ａ）は会話補助装置の使用状態を示す図、（ｂ）、（ｃ）は会話補助装置の全体外観図である。
【図５】本発明の第４の実施形態に係る会話補助装置を示す図であり、（ａ）は会話補助装置の全体外観図、（ｂ）は反射板の設計方法を示す図、（ｃ）は会話補助装置の使用状態を示す図である。
【発明を実施するための形態】
【００３６】
以下、会話補助装置に関する本発明の実施の形態について、図面を参照しながら説明し、本発明の理解に供する。
【００３７】
［実施例１］
まず、本発明の第１の実施形態に係る会話補助装置１について図１を用いて説明する。会話補助装置１は、繊維強化プラスチック（ＦＲＰ）材からなり、図１（ａ）、（ｂ）に示すように、一方向が開口された略湾曲凹状の部分楕円曲面から構成された反射板２と、会話補助装置１にて対話者同士が会話をする際に、話し手Ａと聞き手Ｂの一方が把持して会話補助装置１を所定の位置に保持するための把持部３から主に構成されている。
【００３８】
ここで、必ずしも、把持部３を備えている必要はない。但し、会話補助装置１は楕円曲面の一部を切り取った部分楕円曲面からなる略湾曲凹状であるため、会話補助装置１の使用時における操作性や携帯性が悪い。そのため、把持部３を備えることにより、会話補助装置１の使用時の操作性が向上するとともに、持ち運び時の携帯性も向上する。さらには、収納時の支持部材としも機能することから、把持部３は備えていることが好ましい。
【００３９】
また、必ずしも、反射板２は繊維強化プラスチック材から構成されている必要はない。例えば、樹脂材、金属材、ガラス材、木材等、公知の材料から適宜選択することができるものであって、その素材については特に限定されるものではない。
【００４０】
図１（ｃ）は、実施例１に係る会話補助装置１を構成する反射板２の設計方法を示す図である。反射板２は、図１（ｃ）に示すように、第１の焦点Ｆ１と第２の焦点Ｆ２とする楕円の長軸からなる対称軸を回転軸Ｒとして回転させた楕円曲面Ｅであって、回転軸Ｒを通る切断面Ｓで切断した一方の部分楕円曲面ＥＰから構成されている。
【００４１】
このとき、楕円曲面Ｅの基準となる楕円は、第１の焦点Ｆ１と第２の焦点Ｆ２の回転軸Ｒ上における焦点間距離Ｌ１が略２０ｃｍ〜６０ｃｍ、第１の焦点Ｆ１と第１の焦点Ｆ１側の楕円の頂点Ｔ１との回転軸Ｒ上における頂点距離Ｌ２、及び第２の焦点Ｆ２と第２の焦点Ｆ２側の楕円の頂点Ｔ２との回転軸Ｒ上における頂点距離Ｌ３がそれぞれ略５ｃｍ以下、短軸長さＬ４が略５ｃｍ以上、短軸長さＬ４の２分の１の長さが焦点間距離Ｌ１の３分の１以下の長さの範囲に設定された楕円に基づき楕円曲面Ｅが構成されている。
【００４２】
ここで、必ずしも、楕円曲面Ｅの基となる楕円として、焦点間距離Ｌ１が略２０ｃｍ〜６０ｃｍの範囲内で構成される必要はない。例えば、焦点間距離Ｌ１が２０ｃｍよりも短く、また６０ｃｍよりも長くなるように構成されていてもよい。
【００４３】
但し、焦点間距離Ｌ１が略２０ｃｍよりも短くなると、会話補助装置１の使用時における話し手Ａと聞き手Ｂの対話距離が近接し、会話者同士間において適度な距離を保つことができず、話し手Ａが会話時に不自然な姿勢を強いられることになる。
【００４４】
一方、焦点間距離Ｌ１が略６０ｃｍより長くなると、会話補助装置１の全体が楕円の長軸方向に長くなって大型化し、重量も増えるため、携帯性、及び使用時の操作性が悪化するとともに、収納する際のスペース確保が困難なものとなる。
【００４５】
また、必ずしも、楕円曲面Ｅの基となる楕円として、頂点距離Ｌ２（Ｌ３）が５ｃｍ以下となるように構成されている必要はない。例えば、５ｃｍを超えるように構成されていてもよい。
【００４６】
但し、例えば頂点距離Ｌ２（Ｌ３）が５ｃｍを超えた場合には、反射板の回転軸上における頂点、及び頂点付近で囲われた湾曲凹部から焦点が大きく外れているために、話し手Ａの口元や聞き手Ｂの耳介を置く位置の目安が曖昧となり、話し手Ａの口元や聞き手Ｂの耳介の位置が焦点と一致し難くなるため、会話補助装置の集音効果を充分に発揮できない虞がある。
【００４７】
また、必ずしも、短軸長さＬ４の２分の１の長さが焦点間距離Ｌ１の３分の１以下の長さの範囲に設定されている必要はない。例えば、短軸長さＬ４の２分の１の長さが焦点間距離Ｌ１の３分の１を超える長さで構成されていてもよい。
【００４８】
但し、例えば短軸長さＬ４の２分の１の長さが焦点間距離Ｌ１の３分の１を超えた場合には、楕円の長軸長さと短軸長さの比率が略同じとなる円形に近い形状となる。そのため、反射板２が話し手Ａの口元から聞き手Ｂの耳介まで大きな弧を描いたような形状となるため、会話補助装置１の操作性が悪化するとともに、収納時の安定性にも欠けたものとなる。
【００４９】
また、必ずしも、楕円曲面Ｅの基となる楕円として、短軸長さＬ４が略５ｃｍ以上となるように構成されている必要はない。例えば、短軸長さＬ４として５ｃｍよりも短くなるように構成されていてもよい。但し、短軸長さＬ４として５ｃｍよりも短くなる場合には、反射板２の総面積が小さくなり、会話補助装置１の集音効果が低下するため、集音効果を高めるという観点からは、短軸長さＬ４は５ｃｍ以上であることが好ましい。
【００５０】
表１は、縦軸に焦点間距離Ｌ１、横軸に頂点距離Ｌ２（Ｌ３）とした場合の楕円の短軸長さＬ４の変化を示すテーブルデータである。
【００５１】
［表１］
2019165415.tif 000003
【００５２】
前記した条件、即ち、焦点間距離Ｌ１が略２０ｃｍ〜６０ｃｍ、頂点距離Ｌ２（Ｌ３）が略５ｃｍ以下、短軸長さＬ４が略５ｃｍ以上、短軸長さＬ４の２分の１の長さが焦点間距離Ｌ１の３分の１以下の長さの範囲、これら全てを満たす条件が、表１における点線で囲った部分に表１の行および列が直交するような焦点距離Ｌ１と頂点距離Ｌ２、Ｌ３の組合せとなる。即ち、これを満たす焦点距離Ｌ１と頂点距離Ｌ２（Ｌ３）の組み合わせにより設定された楕円を基準として反射板２を設計すると、会話補助装置１を使用する際の話し手Ａと聞き手Ｂの距離が適度に保てるとともに、操作性、及び携帯性に優れた会話補助装置１とすることができる。
【００５３】
以上のように構成された会話補助装置１は、例えば図２に示すように、対話者の一方である話し手Ａが把持部３を把持し、反射板２の第２の焦点Ｆ２付近を聞き手Ｂの耳介付近に位置させる。この状態で、話し手Ａは第１の焦点Ｆ１に口元を置いて話し掛けると、音源としての話し手Ａの口元から発せられた音波は、反射板２で反射され、第２の焦点Ｆ２付近にある聞き手Ｂの耳介に集音させることができる。
【００５４】
［実施例２］
実施例２に係る発明について図３に基づき説明する。なお、実施例１と共通する部分についてはその説明を省略する。実施例２に係る会話補助装置１を構成する反射板２も、実施例１と同様に、第１の焦点Ｆ１と第２の焦点Ｆ２とする楕円の長軸からなる対称軸を回転軸Ｒとして回転させた楕円曲面Ｅであって、回転軸Ｒを通る切断面Ｓで切断した一方の部分楕円曲面ＥＰから構成され、さらに切断面Ｓによる断面視において反射板２の短手方向の両端部が長軸方向に沿って切り欠かれた形状となっている。
【００５５】
このように、反射板２の短手方向の両端部を長軸方向に沿って部分的に切り欠くことにより、会話補助装置１の軽量化を行えるため、会話時の操作性が向上するとともに、携帯性にも優れ、さらには省スペース内に収納することができる。
【００５６】
また、反射板２の短手方向の両端部を切り欠いても、第１の焦点Ｆ１と第２の焦点Ｆ２を含む長軸方向に沿って一定の反射面積を有することから、音波の反射範囲に大きな影響を与えないため、実施例１と同様の集音効果を発揮することができる。
【００５７】
ここで、必ずしも、反射板２の短手方向の両端部を切り欠く必要はない。例えば、一方の端部のみを切り欠くようにしてもよい。
【００５８】
［実施例３］
実施例３に係る発明について図４に基づき説明する。なお、実施例１と共通する部分についてはその説明を省略する。実施例３に係る会話補助装置１は、図４に示すように、第１の焦点Ｆ１と第２の焦点Ｆ２が反射板２の外側に位置して、一部が断面略湾曲凹状となるように、切断面で切断された部分楕円曲面ＥＰから構成されている。
【００５９】
なお、実施例３に係る反射板２を構成する楕円曲面Ｅの基準となる楕円は、表１に記載の通りである。即ち、焦点間距離Ｌ１が略２０ｃｍ〜６０ｃｍ、頂点距離Ｌ２（Ｌ３）が略５ｃｍ以下、短軸長さＬ４が略５ｃｍ以上、短軸長さＬ４の２分の１の長さが焦点間距離Ｌ１の３分の１以下の長さの範囲に設定された楕円を基準として反射板２が設計される。
【００６０】
実施例３に係る反射板２は、前記のように構成された楕円曲面Ｅの第１の焦点Ｆ１と第２の焦点Ｆ２との中点Ｏを基準として、中点Ｏから第１の焦点Ｆ１までの間であって回転軸Ｒと略垂直に交差する第１の切断面Ｓ１と、中点Ｏから第２の焦点Ｆ２までの間であって回転軸Ｒを横切る第２の切断面Ｓ２によって切断された部分楕円曲面ＥＰから構成されている。
【００６１】
ここで、必ずしも、第１の切断面Ｓ１は回転軸Ｒと略垂直に交差する必要はなく、回転軸Ｒと所定の角度で交差すればよい。但し、第１の切断面Ｓ１が回転軸Ｒと略垂直に交差する場合には、第１の切断面Ｓ１により切断された切断面には、回転軸Ｒに対して垂直な円形の開口部４が形成される。このとき、第１の切断面Ｓ１により形成された開口部４を話し手Ａ側とすると、話し手Ａは、開口部４に向かって会話をすることができるため、話し手Ａは聞き手Ｂの方を向いた自然な体勢での会話を行うことができる。
【００６２】
さらに、中点Ｏと第１の焦点Ｆ１間に開口部４が位置するため、話し手Ａが開口部４の近傍に口元を近づけると、必然的に話し手Ａの口元が第１の焦点Ｆ１付近に位置することから、話し手Ａから発せられた音波は反射板２内で反射して、第２の焦点Ｆ２にて確実に集音させることができる。
【００６３】
また、必ずしも、反射板２の一部は断面略湾曲凹状とする必要はない。例えば、反射板２の全体が筒状となっていてもよい。但し、反射板２の一部が断面略湾曲凹状となっていることにより、例えば、反射板２の内部に唾液等の汚れが付着した場合でも、清掃が容易に行うことができる。従って、衛生上の観点からは、反射板２の一部が断面略湾曲凹状となっていることが好ましい。
【００６４】
また、必ずしも、第２の切断面Ｓ２は、図４（ａ）に示すように、回転軸Ｒに対して聞き手Ｂ側に鋭角な角度で交差する切断面である必要はない。例えば第１の切断面Ｓ１と同様に、回転軸Ｒに対して垂直な切断面となるように第２の切断面Ｓ２を設定してもよい。
【００６５】
但し、第２の切断面Ｓ２を回転軸Ｒに対して聞き手Ｂ側に鋭角な角度となるように交差する断面で切断することにより、例えば、第２の切断面Ｓ２による切断面側を聞き手Ｂ側とすると、聞き手Ｂの耳介と接する部分が切り欠かれた形状となる。従って、聞き手Ｂの耳介を含む顔側面に会話補助装置１を密着させる必要がないため衛生的であるとともに、会話補助装置１の端面で聞き手Ｂの顔側面を傷付ける等の怪我をさせることを回避することができる。
【００６６】
［実施例４］
実施例４に係る発明について図５に基づき説明する。なお、実施例１と共通する部分についてはその説明を省略する。実施例４に係る会話補助装置１は、図５（ａ）に示すように、断面略湾曲凹状の反射板２と、反射板２の一部に形成された開口部よりなる把持部３から構成されている。
【００６７】
ここで、必ずしも、把持部３を備えている必要はない。但し、会話補助装置１は放物曲面Ｃの一部を切り取った部分放物曲面ＣＰからなる略湾曲凹状であるため、会話補助装置１の使用時における操作性や携帯性が悪い。そのため、把持部３を備えることにより、会話補助装置１の使用時の操作性が向上するとともに、持ち運び時の携帯性も向上するため、把持部３は備えていることが好ましい。
【００６８】
また、必ずしも、把持部３は反射板２の一部に形成された開口部である必要はない。例えば、反射板２の外側面に別体で取り付ける形態であってもよい。
【００６９】
反射板２は、図５（ｂ）に示すように、焦点Ｆに基づく放物線の対称軸を回転軸Ｒとして回転させた放物曲面Ｃであって、回転軸Ｒを通る切断面Ｓで切断した一方の部分放物曲面ＣＰから構成されている。
【００７０】
ここで、必ずしも、反射板２は、回転軸Ｒを通る切断面Ｓで切断した一方の部分放物曲面ＣＰから構成されている必要はない。例えば、部分放物曲面ＣＰの開放端面の一部を切り欠いた形状であってもよい。
【００７１】
このように構成された反射板２を備える会話補助装置１は、図５（ｃ）に示すように、焦点Ｆ近傍が聞き手Ｂの耳介付近に対応するように、例えば話し手Ａが把持部３を把持した状態で会話補助装置１の位置調整を行い、聞き手Ｂに向かって会話をすることにより、話し手Ａから発せられる音波は反射板２で反射され、聞き手Ｂの耳介付近に集音させることができる。
【００７２】
以上、本発明に係る会話補助装置は、会話時の声を第三者に聞かれることなく、確実に会話の相手にのみ会話内容を伝達することができるととともに、簡素な構造により低コストで製造することができる。
【符号の説明】
【００７３】
１      会話補助装置
２      反射板
３      把持部
４      開口部
Ａ      話し手
Ｂ      聞き手
Ｃ      放物曲面
ＣＰ      部分放物曲面
Ｅ      楕円曲面
ＥＰ      部分楕円曲面
Ｆ      焦点
Ｆ１      第１の焦点
Ｆ２      第２の焦点
Ｌ１      焦点間距離
Ｌ２、Ｌ３      頂点距離
Ｌ４      短軸長さ
Ｏ      中点
Ｒ      回転軸
Ｓ      切断面
Ｓ１      第１の切断面
Ｓ２      第２の切断面
Ｔ１、Ｔ２      頂点
【図１】
2019165415.tif 000004
【図２】
2019165415.tif 000005
【図３】
2019165415.tif 000006
【図４】
2019165415.tif 000007
【図５】
2019165415.tif 000008
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
仮想基準平面上に設定された第１の焦点と第２の焦点からなる楕円の長軸からなる対称軸を回転軸として、前記楕円を回転させて得られる楕円曲面の、前記回転軸を横切る切断面において切断された前記第１の焦点と前記第２の焦点を含まない面で形成された部分楕円曲面からなる反射板を備え、
前記部分楕円曲面は、前記長軸の中点から前記第１の焦点までの間にある第１の切断面と、前記中点から前記第２の焦点までの間にある第２の切断面で切断された
会話補助装置。
【請求項２】
前記第１の切断面、及び前記第２の切断面の少なくとも一方は、前記回転軸に対して垂直な切断面である
請求項１に記載の会話補助装置。
【請求項３】
前記楕円は、
前記第１の焦点と前記第２の焦点との前記回転軸上における焦点間距離が略２０ｃｍ〜６０ｃｍの範囲内、
前記楕円の短軸長さが５ｃｍ以上、
前記第１の焦点と該第１の焦点側の前記楕円の頂点との前記回転軸上における頂点距離、及び前記第２の焦点と該第２の焦点側の前記楕円の頂点との前記回転軸上における頂点距離がそれぞれ５ｃｍ以下、
前記楕円の短軸長さの２分の１の長さが前記焦点間距離の３分の１以下の長さ、である条件を満たす
請求項１または請求項２に記載の会話補助装置。
【請求項４】
仮想基準平面上に設定された特定の対象点を焦点とする放物線の対称軸を回転軸として、前記放物線を回転させて得られる放物曲面の前記回転軸を通る切断面で分離した一方の面で形成された部分放物曲面からなる反射板を備える
会話補助装置。